(57)【要約】【課題】  本発明は、機器側の力率を改善するためのチョークコイルを備え、且つ、当該電気機器の消費電力を検出する機能を備える電気機器に対して、当該電気機器の部品点数を削減し、コスト削減させることを可能とするチョークコイルを提供することを目的とする。【解決手段】  電気機器の電源ラインに備えられるチョークコイルの巻線を１次巻線とし、当該１次巻線と磁気的に結合させた電流検出用の２次巻線（巻線１４）を、当該チョークコイルに備えることにより、当該電気機器の消費電力を算出することを可能とし、当該電気機器の部品点数を削減し、コストを低減させる。【選択図】  図１
2005181185.tif 000002
【特許請求の範囲】
【請求項１】
電気機器の電源ラインに備えられるチョークコイルにおいて、当該チョークコイルの巻線を１次巻線とし、前記１次巻線と磁気的に結合させた電流検出用の２次巻線を当該チョークコイルに備えたことを特徴とする電流検出機能付きチョークコイル。
【請求項２】
請求項１記載のチョークコイルにおいて、前記２次巻線のターン数を５ターン以上２０ターン以下としたことを特徴とする電流検出機能付きチョークコイル。
【発明の詳細な説明】
【技術分野】
【０００１】
本発明は、電気機器の電源ラインに使用されるインダクタンス要素に関するものであり、特に、機器側の力率を改善するために電源ラインに備えられる電流検出機能付きチョークコイルに関するものである。
【背景技術】
【０００２】
近年、電気機器などの低消費電力化が進むとともに、ユーザの意識も電気機器の低消費電力化へと向くようになり、自らが使用している電気機器が消費している電力への関心も強くなってきている。これに伴い使用中の電気機器が消費している電力、または、そのおおよその目安などを検出・算出し、これを表示する機能を有する電気機器が提供されるようになっている。
【０００３】
このような電気機器の消費電力を表示する機能を実現するための構成として、電源ラインに電流波形を検出するためのトランスを設けることにより、一次側と二次側の電気的な絶縁を保ちつつ、電源ライン（一次側）の電流を測定し、測定された値を元に使用中の当該電気機器が消費している電力、または、そのおおよその目安などを算出して表示し、ユーザに知らせるものがある。
【０００４】
このような、電気機器に消費電力を表示させるための従来技術が特許文献１により開示されている。
【０００５】
一方で、商用電源を電源とする電気機器の電源ラインには、当該電気機器側の力率を改善するためにチョークコイルが設けられている。一般的に、交流である商用電源から直流を得る整流回路では、交流の一周期の間の特定の瞬間にしか電流が流れず、電流のピーク値も大きいため、機器側の力率が悪いと共に、商用電源側（発電所側）の負担が大きくなるという問題がある。このような問題を解決する手段として電源ラインにチョークコイルが設けられているのであり、電源ラインにチョークコイルを設けることで、電流の流れる時間巾を広げると共に電流のピーク値を小さくし、当該電気機器側の力率を改善させ、発電所側の負担を軽減させるものである。
【０００６】
このような交流電源からみた機器側の力率の改善に関する従来技術が特許文献２により開示されている。
【０００７】
【特許文献１】特開２００２−３５４５１０号公報
【特許文献２】特開２００３−１８９６２６号公報
【発明の開示】
【発明が解決しようとする課題】
【０００８】
上記したごとく、従来から、電気機器の電源ラインには当該電気機器の機器側の力率を改善するためのチョークコイルが設けられている。さらに、当該電気機器に消費電力を表示する機能を持たせる場合には、電源ラインの電流波形を検出するためのトランスが、当該電気機器の電源ラインに、前記チョークコイルとは別に設けられていた。
【０００９】
本発明は、機器側の力率を改善するためのチョークコイルを備え、且つ、当該電気機器の消費電力を検出する機能を備える電気機器に対して、当該電気機器の部品点数を削減し、コストの削減をさせることを可能とする電流検出機能付きチョークコイルを提供することを目的とする。
【課題を解決するための手段】
【００１０】
請求項１の電流検出機能付きチョークコイルは、電気機器の電源ラインに備えられるチョークコイルにおいて、当該チョークコイルの巻線を１次巻線とし、前記１次巻線と磁気的に結合させた電流検出用の２次巻線を、当該チョークコイルに備えたことを特徴とする。
【００１１】
上記構成の電流検出機能付きチョークコイルによれば、当該電流検出機能付きチョークコイルの前記１次巻線が電気機器側の力率改善用のためのチョークコイルとしての機能を有し、且つ、当該電流検出機能付きチョークコイルの前記１次巻線と前記２次巻線とにより、電流波形を検出するためのトランスとしての機能を備える。すなわち、電気機器側の力率を改善するために、当該電流検出機能付きチョークコイルに備えられた前記１次巻線を、電気機器の電源ラインに設けることにより、前記１次巻線と磁気的に結合している、前記２次巻線の端子間に、電源ラインに流れる電流波形に応じた電圧が生じるものであり、これにより電流波形を検出するためのトランスとしての機能をも備えるのである。
【００１２】
請求項２の電流検出機能付きチョークコイルは、請求項１記載のチョークコイルにおいて、前記２次巻線のターン数を５ターン以上２０ターン以下としたことを特徴とする。
【００１３】
電気機器の電源ラインに流れる電流波形を検出するためのトランスとして、当該電流検出機能付きチョークコイルを使用する場合、前記２次巻線のターン数は、理論的には１ターン以上の任意のターン数で使用できるが、５ターン以上２０ターン以下とは、実用上における必要かつ十分なターン数である。
【発明の効果】
【００１４】
本発明に係る、電気機器の電源ラインに備えられるチョークコイルの巻線を１次巻線とし、前記１次巻線と磁気的に結合させた電流検出用の２次巻線が、当該チョークコイルに備えられたことを特徴とする電流検出機能付きチョークコイルによれば、力率改善用のためのチョークコイルとしての機能と、電流波形を検出するためのトランスとしての機能とを併せ持つため、当該電流検出機能付きチョークコイルを電気機器の電源ラインに設けることのみにより、前記電気機器の機器側の力率を改善させ、発電所側の負担を軽減させると共に、前記電気機器の電源ラインの電流波形を検出することができ、これにより前記電気機器の消費電力又はそのおおよその目安などを算出できる。従って、電気機器側の力率を改善させるためのチョークコイルと電流波形を検出するためのトランスとをそれぞれ電源ラインに設けた場合と比べ、部品点数が少なくて済み、前記電気機器のコストの削減が図られる。
【発明を実施するための最良の形態】
【００１５】
以下、本発明の具体的実施例について、図面を参照しながら説明する。なお、以下の実施態様は、本発明を具体化する際の一形態であって、本発明をその範囲内に限定するためのものではない。
【実施例１】
【００１６】
図１は本実施例の電流検出機能付きチョークコイルの概念図であり、図６はチョークコイルの従来例の一つを示す概念図である。
【００１７】
電流検出機能付きチョークコイル１０は、巻線１２・巻線１３・巻線１４及びコア１１を構成要素として備え、巻線１２と巻線１３は双方２００ターン程度でコア１１に巻かれ、巻線１４は１０ターン程度でコア１１に巻かれている。当該電流検出機能付きチョークコイル１０を電気機器の力率改善用として当該電気機器の電源ラインに使用するときは、巻線１２の端子１２aと巻線１３の端子１３aとを短絡し、残った巻線１２の端子１２bと巻線１３の端子１３bとを当該電気機器の電源ラインに直列に接続して使用する。これにより、巻線１４の端子１４aと１４bの間に当該電気機器の電源ラインに流れる電流波形に比例した電圧が生じるため、これを検出することにより当該電気機器の消費電力を算出することができるのである。
【００１８】
従来例チョークコイル５０は巻線５２と巻線５３とコア５１により構成され、巻線５２と巻線５３は双方２００ターン程度でコア５１に巻かれている。当該従来例チョークコイル５０を電気機器の力率改善用として当該電気機器の電源ラインに使用するときには、巻線５２の端子５２aと巻線５３の端子５３aとを短絡し、残った巻線５２の端子５２bと巻線５３の端子５３bとを当該電気機器の電源ラインに直列に接続することによって使用される。
【００１９】
電流検出機能付きチョークコイル１０は、構成としては従来例チョークコイル５０に巻線１４を追加したものであり、従来存在するチョークコイルを利用して当該電流検出機能付きチョークコイル１０を製造できるため、当該電流検出機能付きチョークコイル１０の設計・製造コスト自体が安価であり、且つ、当該電流検出機能付きチョークコイル１０は、電気機器側の力率を改善させるためのチョークコイルと電流波形を検出するためのトランスとを兼ね備えるため、当該電流検出機能付きチョークコイル１０を備えた電気機器の製造コストの低減が図られる。
【実施例２】
【００２０】
図２は本発明の別の実施例の電流検出機能付きチョークコイルの概念図であり、図３は当該電流検出機能付きチョークコイル２０を備えた電気機器の消費電力表示装置部３０の概念を示すブロック図、図４は当該消費電力表示装置部３０の動作の概略を示すフローチャートである。図５は表示画面３０cに当該電気機器の消費電力値が表示されている状態を示す表示画面例である。
【００２１】
電流検出機能付きチョークコイル２０は、巻線２２・巻線２３・巻線２４及びコア２１を構成要素として備え、巻線２２と巻線２３とが双方２００ターン程度でコア２１に巻かれているのは実施例１と同様の構成である。巻線２４は、巻線２３と同心円状に巻線２３の上から１０ターン程度で巻かれている。
【００２２】
消費電力表示装置部３０は、消費電力表示装置部３０が備えられる電気機器の消費電力を表示するための装置である。当該電気機器は、消費電力表示装置部３０の他に、商用電源に接続する電源コンセント３３・電源ライン３４・全波整流回路３８及び電源回路３５を備える。
【００２３】
消費電力表示装置部３０は、チョークコイル２０及び整流・平滑回路３０a・マイコン３０b・表示画面３０cにより構成される。
【００２４】
消費電力表示装置部３０の動作を図３のブロック図及び、図４のフローチャートに従って説明する。電源コンセント３３が接続され、電源回路３５から電力を供給される図示しない電気機器SET側において電力が消費されると、これに応じた電流が電源ライン３４に流れ、この電流波形に応じた電圧が電流検出機能付きチョークコイル２０に備えられた巻線２４の端子２４aと２４bの間に生じる。
【００２５】
マイコン３０bは、上記した巻線２４の端子２４aと２４bの間に生ずる電源ライン３４の電流波形に応じた電圧値を、消費電力KEYの入力があった場合（ステップ４２）に読み取る（ステップ４３）。消費電力KEYとは、図示しないが、消費電力表示装置部３０を備える電気機器の本体或いはリモコン装置に備えられるスイッチ類である。
【００２６】
マイコン３０bはステップ４３によって読み取った電圧値から消費電力を算出し（ステップ４４）、当該算出された消費電力値を画面に表示するための信号（OSD出力信号）を出力する（ステップ４５）。当該OSD出力信号により表示画面３０cに前記消費電力値が表示され（ステップ４６）、消費電力KEYの入力が再びあったとき（ステップ４７）に、消費電力値の画面表示を終了する（ステップ４８）。
【００２７】
以上のごとく、本発明に係る電流検出機能付きチョークコイル２０を電気機器の電源ラインに設けることにより、当該電気機器の機器側の力率を改善できると共に、簡単な構成により電気機器の消費電力値若しくはその目安となる値を表示させる機能を実現することができる。
【図面の簡単な説明】
【００２８】
【図１】実施例１の電流検出機能付きチョークコイルの概念図
【図２】実施例２の電流検出機能付きチョークコイルの概念図
【図３】実施例２の消費電力表示装置部の概念を示すブロック図
【図４】実施例２の消費電力表示装置部の動作の概略を示すフローチャート
【図５】実施例２の消費電力の画面表示例
【図６】チョークコイルの従来例の一つを示す概念図
【符号の説明】
【００２９】
１０、２０        電流検出機能付きチョークコイル
１１、２１        コア
１２，１３，１４  巻線
【図１】
2005181185.tif 000003
【図２】
2005181185.tif 000004
【図３】
2005181185.tif 000005
【図４】
2005181185.tif 000006
【図５】
2005181185.tif 000007
【図６】
2005181185.tif 000008